(57)【要約】      （修正有）【課題】水に濡れて変化した色が戻らない識別タグとその製作方法を提供する。【解決手段】吸水力が強い紙２０の一面が水と排斥するインク領域１０を印刷し、もう一面は塗料３０を塗布してなる。インク領域の色と紙の色は同じである。塗料は迅速に水に溶け、紙により吸収され、紙の色が変わり、且つ、水溶液の色とインク領域の色は異なる。塗料の下方に一層の粘着ゲル４０を塗布する。もう一つの実施例中、塗料はまず両面ゲルの一面上に塗布され、一面にインク領域を印刷する紙のもう一面と粘結する。【選択図】図１
2008203599.tif 000002
【特許請求の範囲】
【請求項１】
水に濡れると変色する識別タグであって、商品が水と接触したか識別し、
紙と、
前記紙の一面に塗布され、水と排斥する材質からなり、色が前記紙の色と実質同じであるインク領域と、
前記紙のもう一面に塗布され、水溶解度が大きい材質からなり、水溶液の色と前記インク領域の色が異なる塗料と、
からなることを特徴とする識別タグ。
【請求項２】
前記インク領域は印刷により前記紙に塗布されることを特徴とする請求項１に記載の識別タグ。
【請求項３】
前記紙は模造紙、或いは、銅版紙等のどれかであることを特徴とする請求項１に記載の識別タグ。
【請求項４】
更に粘着ゲルを有し、前記塗料下方に塗布されることを特徴とする請求項１に記載の識別タグ。
【請求項５】
前記塗料の色は可視であることを特徴とする請求項１に記載の識別タグ。
【請求項６】
前記塗料の色は不可視であることを特徴とする請求項１に記載の識別タグ。
【請求項７】
水に濡れると変色する識別タグの製作方法であって、
吸水性が強い紙を準備する工程aと、
前記紙の一面にインク領域を塗布し、もう一面に塗料を塗布する工程bと、
からなり、前記インク領域と前記紙の色は実質同じで、水と排斥する材料からなり、前記塗料は水に溶けやすい材質からなることを特徴とする識別タグの製作方法。
【請求項８】
前記インク領域は印刷により前記紙に塗布されることを特徴とする請求項７に記載の識別タグの製作方法。
【請求項９】
前記紙は模造紙、或いは、銅版紙等のどれかであることを特徴とする請求項７に記載の識別タグの製作方法。
【請求項１０】
前記塗料の色は可視であることを特徴とする請求項７に記載の識別タグの製作方法。
【請求項１１】
前記塗料の色は不可視であることを特徴とする請求項７に記載の識別タグの製作方法。
【請求項１２】
前記工程bの後、更に、前記塗料下方に一層の粘着ゲルを塗布する工程cを含むことを特徴とする請求項７に記載の識別タグの製作方法。
【請求項１３】
水に濡れると変色する識別タグの製作方法であって、
吸水性が強い紙類と両面ゲルを準備する工程aと、
前記紙の一面にインク領域を塗布し、前記両面ゲルの一面に塗料を塗布する工程bと、
前記両面ゲルの一面を前記紙のもう一面上に粘付する工程cと、
からなり、前記インク領域と前記紙の色は実質同じで、水と排斥する材料からなり、前記塗料は水に溶けやすい材質からなることを特徴とする識別タグの製作方法。
【請求項１４】
前記インク領域は印刷により前記紙に塗布されることを特徴とする請求項１３に記載に識別タグの製作方法。
【請求項１５】
前記紙は模造紙、或いは、銅版紙等のどれかであることを特徴とする請求項１３に記載に識別タグの製作方法。
【請求項１６】
前記塗料の色は可視であることを特徴とする請求項１３に記載に識別タグの製作方法。
【請求項１７】
前記塗料の色は不可視であることを特徴とする請求項１３に記載に識別タグの製作方法。
【発明の詳細な説明】
【技術分野】
【０００１】
本発明は、識別タグとその製作方法に関し、特に、製品が水と接触したかを識別するタグとその製作方法に関するものである。
【背景技術】
【０００２】
現代社会中、買い手と売り手の関係は買うと売るだけのものではなく、消費者の意識の高揚により、売り手も売った後のアフターサービスを行い、これは買い手が強く要求するサービスポイントである。電子、機械、或いは、電気類の商品は一定時間の保証期間を有している。保証期間は一定時間使用後、操作不順、或いは、ショート等の問題が生じれば無料でメンテナンスを受けることができ、消費者の損失を保護する。
【０００３】
売買契約の成立は双方が同時に義務と権利を負担する。買い手は売り手に販売した不良品に対し無料メンテナンスを要求する権利があり、売り手は自己の権利を保障する必要がある。もし商品の損壊が買い手の不当による人的要素である場合、売り手は無料メンテナンスの義務がない。しかし、多くの状況下で、損壊は売り手の製品の不良、或いは、買い手の不当使用によるものか、認定しにくいので、責任がどちらにあるか不明である。
【０００４】
電子製品において、特に小型の携帯電話を例とすると、携帯品であるので、浸水確率が非常に高く、この時、買い手の不当使用による故障であるが、水分は蒸発しやすいので、売り手は責任がどちらに属するかを証明することが困難である。常に、売り手はブランドの信頼を保護するのために無料メンテナンスを行うため、コストが増加し、メンテナンススタッフの負担も増える。
【０００５】
一方、近年は、気候の変化が大きく、大雨による水害が発生し、車輌の移動が間に合わなかったり、電化製品が水に浸かる状況が発生する。水と接触した電気製品や車輌は、日が照射した数日後には外観が元の状態に戻るが正常使用はできない。よって、多くの人が水と接触した事実を隠し、また、これらの電化製品や車輌は低価格で転売され、消費者はお買い得気分になるが、実際は損害を被る。
【発明の開示】
【発明が解決しようとする課題】
【０００６】
本発明の目的は、水と接触して変化した色が元に戻らないタグとその製作方法を提供することを目的とし、水に接触すると溶ける塗料設計により、タグを設置した商品が水と接触したかを識別し、商品受損の責任をはっきりさせて、メーカーと顧客間の争議を減少し、また、消費者が商品を購買する時、このタグにより商品が水に浸かった商品でないことを確認できる。
【課題を解決するための手段】
【０００７】
本発明はタグ、シールの形式か、或いは、商品の表面上に直接印刷する。故に、タグは商品表面、或いは、内部機械上に直接印刷できるので、製品が水中に浸ったり、水と接触する場合、このタグは色、パターン、文案が変化し、後日水分が蒸発しても、このタグは元の色に戻らない。故に、識別作用を提供し、色、パターン、文案の告知により、その商品が水に浸っていないことを証明できる。
【０００８】
インクは水に溶けない材質で、市場の多くの塗料は水中に迅速に溶解し、紙類が吸水特性を有し、この三点を総合し、発明者は本案を発明し、水に接触して変化した色が元に戻らない識別タグと製作方法は、シールの形式か、或いは、商品の表面上に直接印刷する。吸水力が強い紙一面を水と排斥するインクによりインク領域を印刷し、もう一面は塗料を塗布して形成する。インク領域の色は紙の色と同じである。塗料は迅速に水中に溶解し、紙により吸収され紙の色を変化させ、且つ、水溶液の色とインク領域の色は異なる。塗料下方は更に一層の粘着ゲルを塗布する。もう一つの実施例中、塗料はまず両面ゲルの一面上に塗布され、一面がインク領域を印刷した紙のもう一面と粘結する。
【発明の効果】
【０００９】
本発明の水と接触して変化した色が元に戻らないタグとその製作方法により、タグを設置した商品が水と接触したかを識別し、商品受損の責任をはっきりさせて、メーカーと顧客間の争議を減少し、また、消費者が商品を購買する時、このタグにより商品が水に浸かった商品でないことを確認できる。
【発明を実施するための最良の形態】
【００１０】
本発明の商品が水と接触したかどうかを識別するタグとその製作方法は、水と接触して変化した色が戻らない紙で、タグ、シールの形式か、或いは、商品の表面上に直接印刷する。
【００１１】
図１は本発明の側視図である。図１で示されるように、紙２０一面にインクによりインク領域１０を印刷する。もう一面は塗料３０を塗布してなる。インク領域１０のインクの色は紙２０の色と同じであり、故に外観は、肉眼ではインク領域１０の存在が発見できない。この他、インク領域１０は水と排斥するインク材質からなり、印刷の手段により紙２０上に印刷する。塗料３０は水中に迅速に溶解し、且つ、紙２０の吸収後、紙２０が生成する色とインク領域１０の色は異なる。最後に、紙２０は吸水力が強い材質を選択し、本実施例は模造紙を使用する。その他の吸水可能な紙、例えば、銅版紙等でもよい。
【００１２】
本発明は商品が水と接触したかを表示するタグで、粘貼方式により商品上に貼付され、故に、本発明の塗料３０下方は好ましくは、更に一層の粘着ゲル４０を塗布する。
【００１３】
本発明が水と接触すると、塗料３０は水に溶けて有色水溶液を形成する。有色水溶液は紙２０により吸収される。模造紙は吸水性が高く、且つ、水が紙間に拡散しやすいので、水溶液の色は紙２０上に停留する。水溶液の色とインク領域１０の色は異なり、故に、インク領域１０は明らかに浮き上がる。インク領域１０のパターンは使用者の需要に応じて定義できる。例えば、本発明はタグ方式で、エンジン上に貼付し、インク領域１０は「水浸車」で、車輌が水害で水中に浸った場合、消費者はエンジンのタグの「水浸車」の表示を確認し、車輌の状況を把握できる。
【００１４】
図２Aと図２Bは本発明の実際の使用状態を示す図である。本図から本発明が良く分かる。図２で示されるように、紙２０一面上にインク領域１０を有する場合、アルファベット数字「１」の形状を呈する。同時に、紙２０が水と全く接触しないとき、図２Aで示されるように、肉眼ではインク領域１０の存在が確認できない。一旦水に浸かると、紙２０下面の塗料が水溶液に溶け、水溶液は紙２０により吸収され、紙２０を変色させ、インク領域１０は図２Bで示されるように表示される。この他、紙２０は水を吸収する以外に、水蒸気を吸収することができる。
【００１５】
本発明の製造方法は、図３で示される。まず、工程４１で示されるように、紙２０を準備する。紙２０は吸水性が強い紙類で、故に本実施例中は吸墨性が強い模造紙を選択する。工程４３で、紙２０の一面にインク領域１０を印刷し、インク領域１０のパターンは需要によって決定する。同時に、紙２０とインク領域１０の色は実質的に同じである。この他、インク領域１０は水と排斥するインク印刷を使用する。
【００１６】
最後に、工程４５で、紙２０のもう一面に一層の塗料３０を塗布し、塗料３０は水に溶けやすい材質からなり、色は可視（ｖｉｓｉａｂｌｅ）、或いは、不可視（ｉｎｖｉｓｉａｂｌｅ）である。インク領域１０は水に溶けて水溶液を形成する時、紙２０は水溶液を吸収して変色する。最後に、本発明はタグを粘着する方式で使用する時、塗料３０下方は更に一層の粘着ゲル４０を塗布し、使用者の要求に応じて商品上に粘着する。
【００１７】
図４は、本発明のもう一つの実施例による上視図である。図で示されるように、本発明は塗料３０をまず両面ゲル５０の一面上に塗布し、一面にインク領域１０を印刷した紙２０のもう一面と塗料３０が接触粘結する。同時に、塗料３０の水溶液は紙２０により吸収され、塗料３０の分子が均一に紙２０に分布する。塗料３０は非揮発性の性質を有し、紙２０を乾燥させた後、水分子が消失するが、塗料３０の分子は紙２０内に残留しているので、紙２０の色は塗料３０の影響を受けて、紙２０の元の色に回復しない。本実施例の製作工程は図５で示される。
【００１８】
図５で示されるように、まず、工程５１で紙２０を準備し、工程５３で、紙２０の一面は印刷手段によりインク領域１０を設置する。同時に、両面ゲル５０を準備し、工程５５で示されるように、一面上に塗料３０を塗布する。最後に、工程５７で、両面ゲル５０を塗料３０の一面に塗布し、紙２０のもう一面と粘接する。
【図面の簡単な説明】
【００１９】
【図１】本発明の好ましい実施例（１）の側視図である。
【図２Ａ】本発明の実際の使用状態図である。
【図２Ｂ】本発明の実際の使用状態図である。
【図３】本発明の実施例（１）の工程図である。
【図４】本発明の好ましい実施例（２）の立体図である。
【図５】本発明の実施例（２）の工程図である。
【符号の説明】
【００２０】
１０        インク領域
２０        紙
３０        塗料      
４０        粘着ゲル        
５０        両面ゲル
４１        紙を準備する
４３        紙の一面に模様を印刷する
４５        紙のもう一面に塗料を塗布する
４７        ゲルを塗布する
５１        紙を準備する
５３        紙の一面に模様を印刷する
５７        両面ゲルの塗料の一面に紙を貼接する
【図１】
2008203599.tif 000003
【図２Ａ】
2008203599.tif 000004
【図２Ｂ】
2008203599.tif 000005
【図３】
2008203599.tif 000006
【図４】
2008203599.tif 000007
【図５】
2008203599.tif 000008